【手続補正書】
【提出日】平成23年11月4日(2011.11.4)
【手続補正１】
【補正対象書類名】特許請求の範囲
【補正対象項目名】全文
【補正方法】変更
【補正の内容】
【特許請求の範囲】
【請求項１】
以下の
ａ）式（Ｉ．ａ）及び／又は（Ｉ．ｂ）
【化１】
2011503281.tif 000001
［式中、
Ａは、無関係に、Ｃ1〜Ｃ6−アルキレンから選択され；
Ｒ1、Ｒ1*、Ｒ2、Ｒ2*、Ｒ3、Ｒ3*、Ｒ4、Ｒ4*、Ｒ5及びＲ5*は、互いに無関係に、水素、アルキル、シクロアルキルもしくはアリールから選択され、その際、最後に挙げた３つの基は、場合により置換されていてよく；かつ
Ｒ6は、水素、アルキル、シクロアルキルもしくはアリールから選択され、その際、最後に挙げた３つの基は、場合により置換されていてよい］のＮ−（ヒドロキシアルキル）アミンから選択される少なくとも１種の化合物を縮合させる工程と、
ｂ）工程ａ）で提供されるポリエーテルの残りのヒドロキシ基の少なくとも一部及び／又は存在するならば第二級アミノ基の少なくとも一部と、少なくとも１種のアルキレンオキシドとを反応させる工程
によって得られるポリマー並びに前記ポリマーのｃ）第四級化、プロトン化、硫酸化及び／又はリン酸化によって得られる誘導体。
【請求項２】
工程ｂ）で、ヒドロキシル基及び／又は存在するならば第二級アミノ基と、少なくとも１種のアルキレンオキシドとの反応が、塩基の存在下で実施される方法によって得られる、請求項１に記載のポリマー。
【請求項３】
工程ａ）で、式（Ｉ．ａ）及び／又は（Ｉ．ｂ）のＮ−（ヒドロキシアルキル）アミンから選択される少なくとも１種の化合物を、式Ｙ（ＯＨ）n［式中、ｎは、２〜４の整数であり、かつＹは、二価の、三価のもしくは四価の、２〜１０個の炭素原子を有する脂肪族の、脂環式のもしくは芳香族の基を示す］のポリオールから選択される少なくとも１種の化合物と同時縮合させる方法によって得られる、請求項１又は２に記載のポリマー。
【請求項４】
工程ａ）で、式（Ｉ．ａ）及び／又は（Ｉ．ｂ）のＮ−（ヒドロキシアルキル）アミンから選択される少なくとも１種の化合物を、式Ｙ′（ＮＨＲy）m［式中、ｍは、２〜４の整数であり、かつＹ′は、二価の、三価のもしくは四価の、２〜１０個の炭素原子を有する脂肪族の、脂環式のもしくは芳香族の基を示し、かつＲyは、Ｒ6について示した意味の１つを有するか、もしくは２つの基Ｒyは、一緒になってＣ1〜Ｃ6−アルキレン基を形成してよい］のポリアミンから選択される少なくとも１種の化合物と同時縮合させる方法によって得られる、請求項１から３までのいずれか１項に記載のポリマー。
【請求項５】
式（Ｉ．ａ）及び／又は（Ｉ．ｂ）で示され、その式中、Ａがメチレン基であり、前記基が非置換であるか、又はＣ1〜Ｃ4−アルキルから選択される１つの置換基を有するＮ−（ヒドロキシアルキル）アミンから選択される化合物から得られる、請求項１から４までのいずれか１項に記載のポリマー。
【請求項６】
式（Ｉ．ａ）及び／又は（Ｉ．ｂ）で示され、その式中、Ｒ1、Ｒ1*、Ｒ2、Ｒ2*、Ｒ3、Ｒ3*、Ｒ4、Ｒ4*、Ｒ5及びＲ5*が互いに無関係に水素及びＣ1〜Ｃ4−アルキルから選択されるＮ−（ヒドロキシアルキル）アミンから選択される化合物から得られる、請求項１から５までのいずれか１項に記載のポリマー。
【請求項７】
式（Ｉ．ｂ）で示され、その式中、Ｒ6が存在する場合に、好ましくは水素及びＣ1〜Ｃ4−アルキルから選択されるＮ−（ヒドロキシアルキル）アミンから得られる、請求項１から６までのいずれか１項に記載のポリマー。
【請求項８】
工程ｂ）で、少なくとも１種のアルキレンオキシドが、エポキシエタン、エポキシプロパン、１，２−エポキシブタン、２，３−エポキシブタン、１，２−エポキシ−２−メチルプロパン、１，２−エポキシペンタン、２，３−エポキシペンタン、１，２−エポキシ−２−メチルブタン、２，３−エポキシ−２−メチルブタン、１，２−エポキシヘキサン、２，３−エポキシヘキサン、３，４−エポキシヘキサン及び１，２−エポキシエチレンベンゼンから選択される方法によって得られる、請求項１から７までのいずれか１項に記載のポリマー。
【請求項９】
少なくとも１種のアルキレンオキシドが、エポキシエタン及び／又はエポキシプロパンから選択される、請求項８に記載のポリマー。
【請求項１０】
工程ｂ）で、１〜１００モルの少なくとも１種のアルキレンオキシドと、工程ａ）で提供されるポリエーテルの１モルの残りのヒドロキシ基及び存在するならば第二級アミノ基とが反応される、請求項１から９までのいずれか１項に記載のポリマー。
【請求項１１】
５００〜１０００００ｇ／モルの範囲の数平均分子量を有する、請求項１から１０までのいずれか１項に記載のポリマー。
【請求項１２】
請求項１から１１までのいずれか１項に記載のポリマーの製造方法において、
（ａ）請求項１に定義される式（Ｉ．ａ）及び／又は（Ｉ．ｂ）で示され、その式中、Ａ、Ｒ1、Ｒ1*、Ｒ2、Ｒ2*、Ｒ3、Ｒ3*、Ｒ4、Ｒ4*、Ｒ5及びＲ5*は、前記請求項のいずれかに示される意味の１つを有するＮ−（ヒドロキシアルキル）アミンから選択される少なくとも１種の化合物の縮合によってポリエーテルを提供する工程と、
（ｂ）該方法の工程（ａ）で提供されたポリエーテルの残りのヒドロキシの少なくとも一部及び／又は、存在するならば残りの第二級アミノ基の少なくとも一部と、少なくとも１種のアルキレンオキシドとを反応させる工程と
を含む方法。
【請求項１３】
工程（ｂ）での少なくとも１種のアルキレンオキシドとの反応が、好適な塩基の存在下で実施される、請求項１２に記載の方法。
【請求項１４】
工程ａ）のポリエーテルが、前記の式（Ｉ．ａ）及び／又は（Ｉ．ｂ）のＮ−（ヒドロキシアルキル）アミンから選択される少なくとも１種の化合物を、式Ｙ（ＯＨ）n［式中、ｎ及びＹは前記請求項のいずれかに示される意味の１つを有する］のポリオールから選択される少なくとも１種の化合物と一緒に同時縮合させることによって提供される、請求項１２又は１３に記載の方法。
【請求項１５】
工程ａ）のポリエーテルが、前記の式（Ｉ．ａ）及び／又は（Ｉ．ｂ）のＮ−（ヒドロキシアルキル）アミンから選択される少なくとも１種の化合物を、式Ｙ′（ＮＨＲy）m［式中、ｍ、Ｙ′及びＲyは前記請求項のいずれかに示される意味の１つを有する］のポリアミンから選択される少なくとも１種の化合物と一緒に同時縮合させることによって提供される、請求項１２から１４までのいずれか１項に記載の方法。
【請求項１６】
工程ｂ）での少なくとも１種のアルキレンオキシドが、エポキシエタン、エポキシプロパン、１，２−エポキシブタン、２，３−エポキシブタン、１，２−エポキシ−２−メチルプロパン、１，２−エポキシペンタン、２，３−エポキシペンタン、１，２−エポキシ−２−メチルブタン、２，３−エポキシ−２−メチルブタン、１，２−エポキシヘキサン、２，３−エポキシヘキサン、３，４−エポキシヘキサン及び１，２−エポキシエチレンベンゼンから選択される、請求項１２から１５までのいずれか１項に記載の方法。
【請求項１７】
工程（ｂ）での少なくとも１種のアルキレンオキシドが、エポキシエタン及び／又はエポキシプロパンから選択される、請求項１６に記載の方法。
【請求項１８】
１〜１００モルの少なくとも１種のアルキレンオキシドが、工程ａ）で提供されるポリエーテルの１モルの残りのヒドロキシ基と、存在するならば第二級アミノ基とが反応される、請求項１２から１７までのいずれか１項に記載の方法。
【請求項１９】
請求項１から１１までのいずれか１項に記載のポリマーのｃ）第四級化、プロトン化、硫酸化及び／又はリン酸化によって得られる誘導体。
【請求項２０】
請求項１２から１８までのいずれか１項に記載の方法により製造されたポリマーを、第四級化、プロトン化、硫酸化及び／又はリン酸化に供する工程を含む、請求項１９に記載の誘導体の製造方法。